(57)【特許請求の範囲】
【請求項１】
湯水を貯湯する貯湯タンクと、
前記貯湯タンクに接続されて内部の水を温める燃焼器と、
前記燃焼器を燃焼状態とする燃焼時間および停止状態とする停止時間を交互に設けて間欠周期を繰返す間欠制御を行う制御部と、を備え、
前記制御部は、
予め設定された設定上限値で定常的に給湯するために必要とされる前記間欠周期における燃焼時間の長さと停止時間の長さとの差を、予め設定された設定下限値で定常的に給湯するために必要とされる前記間欠周期における燃焼時間の長さと停止時間の長さとの差と比較して、
前記差が大きい方の前記間欠周期を選択して、選択された前記間欠周期に対応する前記設定上限値及び前記設定下限値のいずれか一方を目標給湯温度として設定し、
給湯温度が前記目標給湯温度に到達しない場合は、前記燃焼器を連続燃焼するとともに、給湯温度が前記目標給湯温度に到達した場合は、選択された前記間欠周期で前記燃焼器を間欠制御する、ことを特徴とする給湯装置。
【請求項２】
前記制御部は、前記間欠周期内で前記燃焼時間の長さと前記停止時間の長さとを互いに異ならせて前記燃焼器を間欠制御することを特徴とする請求項１に記載の給湯装置。
【請求項３】
前記貯湯タンクの下部に設けられて前記貯湯タンク内に水を導入する入水口と、
前記入水口から導入される水の温度を測定する入水温度センサと、
前記入水口から導入される水の流量を測定する流量センサと、
前記貯湯タンクの前記入水口の位置よりも高い位置に設けられて湯水を給湯する給湯口と、を備え、
前記制御部は、前記入水温度センサで測定された水の温度と、前記流量センサで測定された水の流量と、から予め設定された設定上限値および設定下限値でそれぞれ定常的に給湯するために必要とされる熱量を計算して、前記設定上限値および前記設定下限値のそれぞれで前記間欠周期における前記燃焼時間の長さと前記停止時間の長さとを設定することを特徴とする請求項１に記載の給湯装置。
【請求項４】
予め設定された設定上限値で定常的に給湯するために必要とされる間欠周期における燃焼時間の長さと停止時間の長さとの差を、予め設定された設定下限値で定常的に給湯するために必要とされる前記間欠周期における燃焼時間の長さと停止時間の長さとの差と比較して、前記差が大きい方の前記間欠周期を選択して燃焼器を間欠制御することを特徴とする燃焼制御プログラム。
【発明の詳細な説明】
【技術分野】
【０００１】
本発明は、給湯装置および燃焼制御プログラムに関する。
【背景技術】
【０００２】
従来、貯湯式の給湯装置は、一定の熱量が発生する燃焼器を用い、貯湯タンクにある温度センサで貯湯タンク内の温度を取得し、その温度が設定した閾値より低いと燃焼器が燃焼を開始して貯湯タンク内の水を加熱し、逆に温度が閾値より高い場合は燃焼を停止する（たとえば、特許文献１等参照）。
【先行技術文献】
【特許文献】
【０００３】
【特許文献１】特開平５−２４０５０５号
【発明の概要】
【発明が解決しようとする課題】
【０００４】
従来の貯湯式の給湯装置は、一定の熱量が発生する燃焼器を用いてＯＮ，ＯＦＦ制御している。このため、長時間の給湯を行う際や、給湯を停止、および再開した際、設定温度に到達しない十分温まらないままの冷水塊が給湯されたり、高温および低温の湯水が交互に給湯される脈動が生じる虞があった。
本発明は、給湯される湯水の温度の変化を抑制して安定させることができる給湯装置および燃焼制御プログラムを提供することを目的とする。
【課題を解決するための手段】
【０００５】
本発明は、湯水を貯湯する貯湯タンクと、貯湯タンクに接続されて内部の水を温める燃焼器と、燃焼器を燃焼状態とする燃焼時間および停止状態とする停止時間を交互に設けて間欠制御を行う制御部と、を備える。制御部は、予め設定された設定上限値で定常的に給湯するために必要とされる燃焼時間と停止時間との差を、予め設定された設定下限値で定常的に給湯するために必要とされる燃焼時間と停止時間との差と比較して、差が大きい方を目標温度とし、給湯温度が目標温度に到達しない場合は、燃焼器を連続燃焼するとともに、給湯温度が目標温度に到達した場合は、間欠制御を行うことを特徴とする。
【発明の効果】
【０００６】
本発明によれば、給湯される湯水の温度の変化を抑制して安定させることができる給湯装置および燃焼制御プログラムを提供することが出来る。
【図面の簡単な説明】
【０００７】
【図１】本発明の実施形態における給湯装置で、全体の構成を示す模式図である。
【図２】実施形態の給湯装置の回路構成を説明するブロック図である。
【図３】実施形態における給湯装置で、給湯装置の燃焼制御を示すフローチャートである。
【図４】実施形態における給湯装置を用いた給湯温度制御で、設定下限値を目標給湯温度とした際の温度変化の一例を示すグラフである。
【図５】実施形態における給湯装置を用いた給湯温度制御で、設定上限値を目標給湯温度とした際の温度変化の一例を示すグラフである。
【発明を実施するための形態】
【０００８】
以下、本発明の一実施形態について、適宜図面を参照しながら説明する。同一の構成要素には同一の符号を付し、重複する説明を省略する。
まず、本実施形態の給湯装置１を用いた給湯システム１００全体の構成について説明する。
【０００９】
図１は、本発明の実施形態の家屋等の施設に適用される給湯システム１００を示すものである。
給湯システム１００は、主に給湯を行う貯湯式の給湯装置１と、湯水を貯湯する貯湯タンク２と、貯湯タンク２の下部に設けられる燃焼室３と、燃焼室３に接続されて温められた燃焼室３内の熱量を貯湯タンク２内の湯水に放熱する熱交換部４と、を備えている。
【００１０】
貯湯タンク２は、上，下面が上，下壁部によってそれぞれ閉塞された中空円筒状で、上下方向に中心軸方向を向けて設置されている。
貯湯タンク２の下部には、貯湯タンク２内に水を導入する入水口６が設けられている。
貯湯タンク２の下部で入水口６とほぼ同じ上下方向の位置には、流量センサ８が設けられている。流量センサ８は、入水口６から導入される水の流量を測定するように構成されている。そして、入水口６から貯湯タンク２内に導入される水量は、給湯栓（シャワー水栓１０１ａ，キッチン水栓１０１ｂ，洗面所水栓１０１ｃ等）の開閉度に応じて調整することが可能に構成されている。
また、貯湯タンク２の下部には、入水口６から導入される水の温度を測定する入水温度センサ７が備えられている。入水温度センサ７は、入水口６から導入される水の温度を測定する。
【００１１】
さらに、貯湯タンク２のうち、入水口６の位置よりも高い位置には、湯水を給湯する給湯口９が設けられている。貯湯タンク２の上部には、給湯口９とほぼ同じ上下方向の位置に給湯温度センサ１０が設けられている。給湯温度センサ１０は、貯湯タンク２内上部で給湯口９から給湯される湯水の温度を測定する。
【００１２】
燃焼室３には、石油式の燃焼器５が設けられている。燃焼器５は、燃焼により生じる時間当たりの熱流量（熱量）が予め知られて、または予め計測されて用いられる。本実施形態の燃焼器５は、石油式によって構成されているが、特にこれに限定されるものではない。たとえば、加熱方式はガス式、電気式等であってもよく、一定の熱流量（熱量）が設定できるものであればどのような加熱方式のものであってもよい。
【００１３】
また、熱交換部４は、複数の中空パイプを有している。中空パイプは、燃焼室３の上部から貯湯タンク２の上方に向けて延設されている。中空パイプの内部に、燃焼室３によって熱せられた熱媒体を通すようにしてもよい。
そして、貯湯タンク２の下部に設けられた入水口６から導入される水は、貯湯タンク２内で燃焼室３および熱交換部４によって暖められて貯湯タンク２内を上昇する。
このため、貯湯タンク２内では、上下方向に温度の異なる湯水の層が形成され、温度勾配（図１参照）を生じさせる。
貯湯タンク２の内部では、貯湯タンク２の下部に設けられた入水口６から導入された比較的温度の低い水が上部の比較的暖かい水と混合されることが防止される。このため、貯湯タンク２の上部に設けられた給湯口９からは、安定して給湯に適した水温の湯水が供給される。
【００１４】
給湯システム１００は、制御部１１を備えている。
制御部１１は、燃焼器５を燃焼状態とする燃焼時間および燃焼器５を停止状態とする停止時間を交互に設けて間欠制御を行う。燃焼器５は、燃焼により生じる熱流量が予め設定されている。制御部１１には、燃焼器５から給湯される湯水の給湯温度の設定上限値と設定下限値を設定する給湯温度設定部２０が設けられている。
給湯温度設定部２０は、給湯温度の設定上限値と設定下限値を設定する。
本実施形態の給湯温度設定部２０は、予め設定上限値を６０度、設定下限値を５０度と、上下に１０度の間隔を空けて設定することができる。これらの予め設定される設定上限値および設定下限値は、１０度の間隔を維持しつつ、調整により５度刻みに上下動できるように構成されている。
そして、制御部１１は、設定された設定上限値又は設定下限値となるいずれかを目標給湯温度として燃焼器５の燃焼状態を間欠制御する。
間欠制御は、定常的に給湯するために必要とされる燃焼時間および停止時間とを交互に行う間欠周期（燃焼周期）を一周期として繰り返すことにより実行される。そして、間欠制御により給湯口９から給湯される湯水が所望の湯温に調整される。
【００１５】
図２に示すように、制御部１１には、入水温度センサ７、流量センサ８、および給湯温度センサ１０が接続されている。
また、制御部１１には、入水流量検出部１２、入水温度検出部１３、熱量計算部１４および燃焼制御判定部１５が設けられている。
【００１６】
このうち、入水流量検出部１２は、流量センサ８から送られてくる流量信号に基づいて貯湯タンク２への入水流量を検出する。入水温度検出部１３は、入水温度センサ７から送られてくる入水温度信号に基づいて貯湯タンク２へ導入された水の水温を検出する。
本実施形態では、熱量計算部１４による熱量の計算は、入水口６から貯湯タンク２に流入する水の温度、流量（入水量）および燃焼器５の熱流量から給湯される湯水の給湯温度を推定して行われている。
【００１７】
燃焼制御判定部１５は、給湯温度が目標給湯温度に到達しない場合は、目標給湯温度となる設定上限値または設定下限値に到達するまで燃焼器５を連続運転させて燃焼状態とする。
一般に目標給湯温度付近で燃焼時間と停止時間とが切替えられるように間欠制御すると、一定の間欠周期内でほぼ同じ長さの燃焼時間と停止時間とが交互に繰返されて、脈動を生じてしまう。
これに対して、長時間の運転を行う際には、間欠周期内で燃焼時間と停止時間とを異ならせるように燃焼器５を間欠制御すると、脈動の大きさを抑制できることを見出した。
特に、設定上限値と設定下限値との間に開き（例えば、5度〜１５度等）があると、何れか一方の設定上限値または設定下限値を目標給湯温度として選択することにより、燃焼時間と停止時間との差が大きい方の間欠制御を容易に得らえる。
【００１８】
本実施形態の燃焼制御判定部１５は、燃焼制御プログラムを有している。燃焼制御プログラムは、ほぼ同じ長さの燃焼時間と停止時間とが交互に繰返されることがないように、間欠制御を行う。
すなわち、燃焼制御プログラムによる間欠制御は、予め設定される設定上限値で定常的に給湯するために必要とされる燃焼時間および停止時間との差を、予め設定された設定下限値で定常的に給湯するために必要とされる燃焼時間および停止時間との差と比較して、差が大きい方の間欠周期を用いて燃焼器５を制御する。そして、前記演算の結果選択した設定上限値又は設定下限値のいずれか一方を目標給湯温度として、この温度に達するまで燃焼器５を連続燃焼させる。
このため、制御部１１は、間欠周期内で燃焼時間と停止時間とを異ならせて燃焼器５を間欠制御することができる。
【００１９】
具体的に上記制御を実行するため、本実施形態の燃焼制御プログラムでは、まず、給湯温度が予め設定された設定上限値に到達した場合は、予め設定された設定上限値で定常的に給湯するために必要とされる燃焼時間と停止時間との差が演算される。
次に、燃焼制御プログラムは、予め設定された設定下限値で定常的に給湯するために必要とされる燃焼時間および前記停止時間との差を演算する。
そして、燃焼制御プログラムは、演算された二つの差を比較して、差が大きい方の間欠周期を用いて燃焼器５を制御する。
【００２０】
次に、本実施形態の給湯装置１および燃焼制禦プログラムの作用効果について説明する。
図３は、温調制御で各部の機能を処理に沿って示したフローチャートである。本実施形態における給湯装置１では、ステップＳ１にて、流量センサ８（図２参照）が入水口６から導入される水の流量を測定して、制御部１１に流量信号として出力する。入水流量は、各給湯栓（シャワー水栓１０１ａ，キッチン水栓１０１ｂ，洗面所水栓１０１ｃ等）によって調整される。
ステップＳ２にて、制御部１１の入水流量検出部１２は、流量センサ８から送られてくる流量信号に基づいて貯湯タンク２への入水流量を検出する。
【００２１】
ステップＳ３にて、入水温度センサ７は、貯湯タンク２に入水した水の温度を測定して、制御部１１に温度信号として出力する。
ステップＳ４にて、制御部１１の入水温度検出部１３は、入水温度センサ７から送られてくる温度信号に基づいて貯湯タンク２へ導入された入水の水温を検出する。
ステップＳ５にて、熱量計算部１４は、入水口６から貯湯タンク２に流入する水の温度、流量（入水量）および燃焼器５の熱流量から給湯される湯水の給湯温度を用いて必要とされる熱量を計算する。熱量計算部１４による熱量の計算は、入力された目標温度、検出されている入水の温度、流量（入水量）および現在の給湯温度を用いて常時行われる。なお、本実施形態の貯湯式の給湯装置１においては、入水流量はシャワー水栓１０１ａ等による給湯水量と同じとなる。
【００２２】
ステップＳ６にて、給湯温度設定部２０によって予め設定上限値および設定下限値が設定される。本実施形態では、予め設定上限値として６０度および設定下限値として５０度が設定される。
本実施形態の給湯温度設定部２０は、上下に１０度の温度間隔を保ちながら、５度刻みに設定上限値および設定下限値を同時に変更することができる。このため、個別に設定する場合に比して操作性が良好である。
熱量計算部１４では、給湯温度設定部２０によって設定された設定上限値および設定下限値となる熱量が計算される。熱量は、入水口６から貯湯タンクに流入する水の温度、流量および燃焼器５の燃焼性能である熱流量にも影響を受ける。
【００２３】
ステップＳ７にて、燃焼制御判定部１５は、設定上限値で定常的に給湯するために必要とされる燃焼時間および停止時間との差が演算されて、別途演算された予め設定された設定下限値で定常的に給湯するために必要とされる燃焼時間および停止時間との差と比較される。
比較の結果、いずれかの差が大きい方の間欠周期を用いて間欠制御が行われる。
また、燃焼制御判定部１５は、演算の結果、選択されて目標給湯温度となった設定上限値または設定下限値に到達するまで燃焼器５を連続燃焼させる。
【００２４】
ステップＳ８にて、図１に示す燃焼器５が燃焼状態または停止状態となるように交互に運転される。
燃焼器５によって燃焼が行われる燃焼状態では、加熱された燃焼室３および熱交換部４によって貯湯タンク２内の湯水が暖められる。
また、燃焼器５の燃焼が停止する停止状態では、入水口６からの入水によって貯湯タンク２内の湯水の水温は、徐々に低下する。
さらに、本実施形態の熱交換部４は、燃焼室３の上部から貯湯タンク２の上方に向けて延設された複数の中空パイプに熱媒体を通して湯水を温める。貯湯タンク２内の湯水は、上下方向に温度勾配を形成しながら、給湯口９付近の水温を所望の給湯に適した水温とする。
【００２５】
図４は、本実施形態の給湯装置１における給湯温度制御の一例を示し、設定下限値を目標給湯温度とした際のグラフである。
本実施形態の給湯システム１００では、入水流量検出部１２が入水量を検知すると、燃焼器５が燃焼状態（ＯＮ）となり加熱が開始される。初期の加熱は、給湯温度設定部２０が定める設定上限値又は設定下限値のうち、燃焼制御判定部１５が選択した値(目標給湯温度)に至るまで燃焼器５による燃焼状態をＯＮのまま継続する。
【００２６】
燃焼制御判定部１５に設けられた燃焼制御プログラムは、給湯温度設定部２０で予め設定された設定上限値で定常的に給湯するために必要とされる燃焼時間および停止時間を求めている。たとえば、燃焼時間（ＯＮ時間）と停止時間（ＯＦＦ時間）との差の小さい間欠周期ａが演算される。
また、燃焼制御プログラムは、予め給湯温度設定部２０で設定された設定下限値で定常的に給湯するために必要とされる燃焼時間および停止時間を求めている。たとえば、燃焼時間（ＯＮ時間）と停止時間（ＯＦＦ時間）との差の大きい間欠周期ｂが演算される。間欠周期ｂでは、燃焼時間（ＯＮ時間）よりも停止時間（ＯＦＦ時間）の方が長い。
そして、間欠周期ａのＯＮ，ＯＦＦ時間差と間欠周期ｂのＯＮ，ＯＦＦ時間差とが比較される。ここでは、間欠周期ｂのＯＮ，ＯＦＦ時間の差の方が大きく、間欠周期ｂは、ＯＦＦ時間の方がＯＮ時間よりも長い。したがって、燃焼時間（ＯＮ時間）よりも停止時間（ＯＦＦ時間）の方が長い間欠周期ｂが選択されて、間欠制御に反映される。
このため、運転開始から時刻ｔ１まで連続燃焼による運転が行われた後、時刻ｔ１にて目標温度に設定された設定下限値に給湯温度が到達すると、制御部１１は、設定下限値を維持するように燃焼器５の燃焼状態を間欠周期ｂによって間欠制御する。
【００２７】
図５は、実施形態における給湯装置を用いた給湯温度制御の一例を示し、設定上限値を目標給湯温度とした際の温度変化を示すグラフである。入水温度が低く、また、入水量が多い場合は、燃焼制御判定部１５に設けられた燃焼制御プログラムは、予め設定された設定下限値で定常的に給湯するために必要とされる燃焼時間および停止時間を求めている。たとえば、燃焼時間（ＯＮ時間）と停止時間（ＯＦＦ時間）との差の小さい間欠周期ｄが演算される。
また、燃焼制御プログラムは、予め設定された設定上限値で定常的に給湯するために必要とされる燃焼時間および停止時間を求めている。たとえば、燃焼時間（ＯＮ時間）と停止時間（ＯＦＦ時間）との差の大きい間欠周期ｃが演算される。ここで間欠周期ｃは、ＯＮ時間の方がＯＦＦ時間よりも長い。
そして、間欠周期ｃのＯＮ，ＯＦＦ時間差と間欠周期ｄのＯＮ，ＯＦＦ時間差とが比較される。ここでは、間欠周期ｃのＯＮ，ＯＦＦ時間差の方が大きい。したがって、間欠周期ｃが選択されて、間欠制御に反映される。
このため、運転開始から連続燃焼による運転が行われた後、時刻ｔ２にて目標温度に設定された設定上限値に給湯温度が到達すると、制御部１１は、設定上限値を維持するように燃焼器５の燃焼状態を間欠周期ｃによって間欠制御する。
【００２８】
このように、本実施形態の制御部１１では、ＯＮ，ＯＦＦ時間差の方が大きく、脈動が最も小さい設定上限値または設定下限値が間欠制御の目標給湯温度として選択される。
たとえば、図４に示す状況では、設定下限値が目標温度として選択された場合、設定上限値の選択による間欠周期ａ（破線ＦＨ参照）の温度変化と比較して、特に水温の上下動幅の増大が抑制されて脈動を減少させることができる。
また、図５に示す状況では、設定上限値が目標温度として選択された場合、設定下限値の選択による間欠周期ｄ（破線ＦＬ参照）の温度変化と比較して、特に水温の上下動幅の増大が抑制されて脈動を減少させることができる。
【００２９】
上述してきたように、本実施形態の給湯装置１は、湯水を貯湯する貯湯タンク２と、貯湯タンク２の下部に接続されて内部の水を温める燃焼器５と、燃焼器５を燃焼状態とする燃焼時間および停止状態とする停止時間を交互に設けて間欠制御を行う制御部１１と、を備える。
制御部１１は、貯湯タンク２に流入する水の温度、流量および燃焼器５の熱流量から給湯される湯水の給湯温度を計算して、設定上限値で定常的に給湯するために必要とされる燃焼時間および停止時間との差を、予め設定された設定下限値で定常的に給湯するために必要とされる燃焼時間および停止時間との差と比較して、差が大きい方の間欠周期を用いて間欠制御を行うことを特徴としている。
【００３０】
このため、給湯される湯水の温度の変化を抑制して安定させることができる給湯装置１が提供される。
詳しくは、図４に示すように、制御部１１によって設定上限値付近では、間欠周期ａのＯＮ，ＯＦＦ時間差と間欠周期ｂのＯＮ，ＯＦＦ時間差とが比較されて、ＯＮ，ＯＦＦ時間差の大きい間欠周期ｂが選択される。
また、制御部１１によって設定下限値付近では、間欠周期ｃのＯＮ，ＯＦＦ時間差と間欠周期ｄのＯＮ，ＯＦＦ時間差とが比較されて、ＯＮ，ＯＦＦ時間差の大きい間欠周期ｃが選択される。選択された間欠周期ｂまたはｃは、燃焼器５の間欠制御に反映される。
このため、本実施形態の給湯装置１は、燃焼器５がＯＮ，ＯＦＦを同じ長さで頻繁に繰返す脈動を抑制できる。
【００３１】
また、給湯温度が予め設定される設定上限値又は設定下限値に到達しない場合は、燃焼器５を連続させて燃焼状態とするとともに、給湯温度が設定上限値又は設定下限値に到達した場合は、燃焼器５を間欠制御する。
このため、給湯装置１は、所望の目標給湯温度の湯水を短時間で得られる。そして、目標給湯温度に到達した後は、安定した水温の給湯を継続することができる。
【００３２】
また、給湯装置１の制御部１１は、間欠周期内で燃焼時間（ＯＮ時間）と停止時間（ＯＦＦ時間）とを異ならせて燃焼器５を間欠制御する。
このため、本実施形態の給湯装置１は、燃焼器５のＯＮ時間または、ＯＦＦ時間のうち、何れか一方の時間を長くすることができ、さらに頻繁に繰返す脈動を抑制できる。
【００３３】
さらに、貯湯タンク２の下部に設けられて貯湯タンク２内に水を導入する入水口６と、入水口６から導入される水の温度を測定する入水温度センサ７と、入水口６から導入される水の流量を測定する流量センサ８と、貯湯タンク２の入水口６の位置よりも高い位置に設けられて湯水を給湯する給湯口９と、を備える。制御部１１は、入水温度センサ７で測定された水の温度と、流量センサ８で測定された水の流量とから湯水の給湯温度を計算して、間欠制御を行う。
このため、さらに貯湯タンク２に導入される入水の流量と温度とを熱量の演算に反映させて頻繁に繰返す脈動を抑制できる。また、給湯口９が貯湯タンク２の入水口６の位置よりも高い位置に設けられている。このため、給湯口９から給湯される湯水は、貯湯タンク２内で入水口6から導入される比較的温度の低い水と混合されることなく、安定して給湯に適した水温の湯水を供給でき、さらに脈動を抑制できる。
【００３４】
そして、給湯装置１に用いる燃焼制禦プログラムは、入水口６から貯湯タンクに流入する水の温度、流量および燃焼器５の熱流量から給湯される湯水の給湯温度を計算して、給湯温度が予め設定される設定上限値に到達しない場合は、燃焼器５を連続させて燃焼状態とするとともに、給湯温度が設定上限値に到達した場合は、設定上限値で定常的に給湯するために必要とされる燃焼時間および停止時間との差を、予め設定された設定下限値で定常的に給湯するために必要とされる燃焼時間および停止時間との差と比較して、差が大きい方の間欠周期を用いて間欠制御を行う。
このため、給湯される湯水の温度の変化を抑制して安定させることができる燃焼制御プログラムが提供される。
【００３５】
本発明は上述した実施形態に限定されるものではなく、種々の変形が可能である。上述した実施形態は本発明を理解しやすく説明するために例示したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について削除し、もしくは他の構成の追加・置換をすることが可能である。上記実施形態に対して可能な変形は、たとえば以下のようなものである。
【００３６】
本実施形態では、給湯温度センサ１０から送られてくる温度信号を用いて給湯口９から給湯されている現在の湯水の給湯温度を検出している。しかしながら、特にこれに限らず、給湯温度センサ１０を用いなくてもよい。
【００３７】
また、本実施形態では、給湯システム１００の貯湯タンク２を上，下面を上，下壁部によってそれぞれ閉塞した中空円筒形状としている。しかしながら、特にこれに限らない。たとえば、中空の角筒形状、球体形状、直方体形状あるいは、多角柱形状等や、あるいは上部と下部とで容積の相違するものであってもよく、貯湯タンク２の形状、数量および材質が特に限定されるものではない。
【００３８】
さらに本実施形態では、設定上限値と設定下限値との差が１０度に設定されているが、特にこれに限らない。たとえば、設定上限値と設定下限値との差を約５度〜１５度等、脈動が抑制できる範囲であれば、どのような温度差に設定されていてもよい。
また、本実施形態の給湯温度設定部２０は、予め設定上限値を６０度、設定下限値を５０度としたが、特にこれに限らない。予め設定される設定上限値は、さらに高温であってもよく、また予め設定される設定下限値は、さらに低温であっても一定の間隔が維持される設定温度であればよい。
【符号の説明】
【００３９】
１      給湯装置
２      貯湯タンク
５      燃焼器
１１    制御部
【要約】
【課題】給湯される湯水の温度の変化を抑制して安定させることができる給湯装置および燃焼制御プログラムを提供する。
【解決手段】給湯装置１の間欠制御を行う制御部１１は、貯湯タンク２に流入する水の温度、流量および燃焼器５の熱流量から給湯される湯水の給湯温度を計算して、給湯温度が予め設定される設定上限値に到達しない場合は、燃焼器５を連続させて燃焼状態とするとともに、給湯温度が設定上限値に到達した場合は、設定上限値で定常的に給湯するために必要とされる燃焼時間と停止時間との差を、予め設定された設定下限値で定常的に給湯するために必要とされる燃焼時間と停止時間との差と比較して、差が大きい方の間欠周期を用いて間欠制御を行う。
【選択図】図１【図１】
0006955284.tif 000002
【図２】
0006955284.tif 000003
【図３】
0006955284.tif 000004
【図４】
0006955284.tif 000005
【図５】
0006955284.tif 000006